(57)【要約】【課題】ユーザの意図に反して画像データがライトワンスメディアに記録・保存されることを防止する。【解決手段】撮像装置は、複数の外部記録メディアが装着可能であり、外部記録メディアのうち保存先メディアの空き容量を検出する。撮像装置は、保存先メディアの空き容量が予め規定された空き容量となった場合、保存先を切り替える切り替え設定が行われていると、切り替え記録メディアの特性を判定する。撮像装置は、切り替え記録メディアがライトワンスメディアである場合に、保存先メディアがリライタブルメディアであると、切り替え記録メディアに保存先を切り替えるか否かの確認を行う。【選択図】図４
2014197796.tif 000002
【特許請求の範囲】
【請求項１】
複数の外部記録メディアが装着可能で、撮影の結果得られた画像データを選択的に前記外部記録メディアに記録する撮像装置において、
前記外部記録メディアのうち前記画像データの保存先として指定された保存先メディアの空き容量を検出する容量検出手段と、
前記保存先メディアの空き容量が予め規定された空き容量となった場合に、前記保存先メディアから他の外部記録メディアを切り替え記録メディアとして、該切り替え記録メディアに前記画像データの保存先を切り替える切り替え設定が行われていると、前記切り替え記録メディアの特性を判定して特性判定結果を得る判定手段と、
前記特性判定結果が前記切り替え記録メディアは書き替えに制限が設けられた書き替え制限記録メディアであることを示している場合に、前記保存先メディアが切り替えに制限のない書き替え非制限記録メディアであると、前記切り替え記録メディアに前記保存先を切り替えるか否かの確認を行うメッセージを告知する確認手段とを有することを特徴とする撮像装置。
【請求項２】
前記予め規定された空き容量は前記保存先メディアの空き容量がない状態であることを特徴とする請求項１記載の撮像装置。
【請求項３】
前記切り替え記録メディアへの切り替えが選択されると前記切り替え記録メディアを前記保存先に切り替える切り替え手段を有することを特徴とする請求項２記載の撮像装置。
【請求項４】
前記予め規定された空き容量は、前記メッセージを表示するタイミングとされる枚数設定値として規定されており、
前記判定手段は、前記枚数設定値が前記保存先メディアの空き容量に応じて得られた残撮影可能枚数と一致すると、前記切り替え設定が設定されているか否かを確認することを特徴とする請求項１記載の撮像装置。
【請求項５】
前記保存先メディアの空き容量がない場合に、前記切り替え記録メディアへの切り替えが選択されていると、前記切り替え記録メディアを前記保存先に切り替える切り替え手段を有することを特徴とする請求項４記載の撮像装置。
【請求項６】
複数の外部記録メディアが装着可能で、撮影の結果得られた画像データを選択的に前記外部記録メディアに記録する撮像装置において、
新たな外部記録メディアの装着を検出するメディア検出手段と、
前記新たな外部記録メディアの装着が検出された場合に、前記画像データの保存先として指定された保存先メディアから他の外部記録メディアを切り替え記録メディアとして該切り替え記録メディアに前記画像データの保存先を切り替える切り替え設定が行われていると、前記切り替え記録メディアの特性を判定して特性判定結果を得る判定手段と、
前記特性判定結果が前記切り替え記録メディアは書き替えに制限が設けられた書き替え制限記録メディアであることを示している場合に、前記保存先メディアが切り替えに制限のない書き替え非制限記録メディアであると、前記切り替え記録メディアに前記保存先を切り替えるか否かの確認を行うメッセージを告知する確認手段とを有することを特徴とする撮像装置。
【請求項７】
前記外部記録メディアのうち前記画像データの保存先として指定された保存先メディアの空き容量を検出する容量検出手段と、
前記保存先メディアの空き容量がない場合に、前記切り替え記録メディアへの切り替えが選択されていると、前記切り替え記録メディアを前記保存先に切り替える切り替え手段を有することを特徴とする請求項６記載の撮像装置。
【請求項８】
複数の外部記録メディアが装着可能な撮像装置に用いられ撮影の結果得られた画像データを選択的に前記外部記録メディアに記録するための制御方法において、
前記外部記録メディアのうち前記画像データの保存先として指定された保存先メディアの空き容量を検出する容量検出ステップと、
前記保存先メディアの空き容量が予め規定された空き容量となった場合に、前記保存先メディアから他の外部記録メディアを切り替え記録メディアとして該切り替え記録メディアに前記画像データの保存先を切り替える切り替え設定が行われていると、前記切り替え記録メディアの特性を判定して特性判定結果を得る判定ステップと、
前記特性判定結果が前記切り替え記録メディアは書き替えに制限が設けられた書き替え制限記録メディアであることを示している場合に、前記保存先メディアが切り替えに制限のない書き替え非制限記録メディアであると、前記切り替え記録メディアに前記保存先を切り替えるか否かの確認を行うメッセージを告知する確認ステップとを有することを特徴とする制御方法。
【請求項９】
複数の外部記録メディアが装着可能な撮像装置に用いられ、撮影の結果得られた画像データを選択的に前記外部記録メディアに記録するための制御方法において、
新たな外部記録メディアの装着を検出するメディア検出ステップと、
前記新たな外部記録メディアの装着が検出された場合に、前記画像データの保存先として指定された保存先メディアから他の外部記録メディアを切り替え記録メディアとして該切り替え記録メディアに前記画像データの保存先を切り替える切り替え設定が行われていると、前記切り替え記録メディアの特性を判定して特性判定結果を得る判定ステップと、
前記特性判定結果が前記切り替え記録メディアは書き替えに制限が設けられた書き替え制限記録メディアであることを示している場合に、前記保存先メディアが切り替えに制限のない書き替え非制限記録メディアであると、前記切り替え記録メディアに前記保存先を切り替えるか否かの確認を行うメッセージを告知する確認ステップとを有することを特徴とする制御方法。
【請求項１０】
複数の外部記録メディアが装着可能な撮像装置に用いられ撮影の結果得られた画像データを選択的に前記外部記録メディアに記録するための制御プログラムにおいて、
前記撮像装置に備えられたコンピュータに、
前記外部記録メディアのうち前記画像データの保存先として指定された保存先メディアの空き容量を検出する容量検出ステップと、
前記保存先メディアの空き容量が予め規定された空き容量となった場合に、前記保存先メディアから他の外部記録メディアを切り替え記録メディアとして該切り替え記録メディアに前記画像データの保存先を切り替える切り替え設定が行われていると、前記切り替え記録メディアの特性を判定して特性判定結果を得る判定ステップと、
前記特性判定結果が前記切り替え記録メディアは書き替えに制限が設けられた書き替え制限記録メディアであることを示している場合に、前記保存先メディアが切り替えに制限のない書き替え非制限記録メディアであると、前記切り替え記録メディアに前記保存先を切り替えるか否かの確認を行うメッセージを告知する確認ステップとを実行させることを特徴とする制御プログラム。
【請求項１１】
複数の外部記録メディアが装着可能な撮像装置に用いられ、撮影の結果得られた画像データを選択的に前記外部記録メディアに記録するための制御プログラムにおいて、
前記撮像装置に備えられたコンピュータに、
新たな外部記録メディアの装着を検出するメディア検出ステップと、
前記新たな外部記録メディアの装着が検出された場合に、前記画像データの保存先として指定された保存先メディアから他の外部記録メディアを切り替え記録メディアとして該切り替え記録メディアに前記画像データの保存先を切り替える切り替え設定が行われていると、前記切り替え記録メディアの特性を判定して特性判定結果を得る判定ステップと、
前記特性判定結果が前記切り替え記録メディアは書き替えに制限が設けられた書き替え制限記録メディアであることを示している場合に、前記保存先メディアが切り替えに制限のない書き替え非制限記録メディアであると、前記切り替え記録メディアに前記保存先を切り替えるか否かの確認を行うメッセージを告知する確認ステップとを実行させることを特徴とする制御プログラム。
【請求項１２】
請求項１０又は１１に記載の制御プログラムが記録されたコンピュータに読み取り可能な記録媒体。
【発明の詳細な説明】
【技術分野】
【０００１】
本発明は、撮像装置、その制御方法、及び制御プログラム、並びに記録媒体に関し、特に、何度も書き換え可能な記録メディア（以下、リライタブルメディアと呼ぶ）と書き換え可能回数が制限されている記録メディア（以下、ライトワンスメディアと呼ぶ）が装着可能な撮像装置、その制御方法、及び制御プログラム、並びに記録媒体に関する。
【背景技術】
【０００２】
一般に、撮像装置の一つであるデジタルカメラには、ＳＤカードメモリ（以下、ＳＤと呼ぶ）及びコンパクトフラッシュ(登録商標)（以下、ＣＦと呼ぶ）等の複数の記録メディアが装着可能である。そして、これら記録メディアには何度も画像データを書き替えることができる。このような記録メディアは、リライタブルメディアと呼ばれ、リライタブルメディアを用いれば、気軽にかつ多数の画像データを記録することができる。
【０００３】
記録メディアとして書き替え可能回数が制限されたライトワンスメディアも普及している。例えば、１度のみ書き込みが可能なライトワンスメディアに画像データを記録すれば、画像データの改ざん等は不可能である。このため、ライトワンスメディアは、警察等において証拠写真を撮影した結果得られた画像データの記録に利用されることもある。
【０００４】
ところが、撮影の失敗等による不要な画像データが一度のみ書き込みが可能なライトワンスメディアに記録されると、ユーザは当該不要な画像データを削除できない結果、不愉快な思いをすることがある。
【０００５】
例えば、デジタルカメラをデモンストレーションで用いる際には、撮影の結果得られた画像データを保存する必要はない。この際、デジタルカメラにライトワンスメディアが装着されていると、当該画像データがライトワンスメモリに記録されてしまうことになる。このような不都合を防止するため、デモンシトレーションモードのような特殊モードにおいては、画像データを保存しないように制御するデジタルカメラが知られている（例えば、特許文献１参照）。
【０００６】
一方、複数の記録メディアを装着可能なデジタルカメラが知られている。このデジタルカメラでは、一度に複数の記録メディアに画像データを記録できるようになっている。また、撮影モード等の撮影設定に応じて画像データをいずれかの記録メディアに振り分ける機能等を備えるデジタルカメラもある。
【０００７】
例えば、デジタルカメラに記録メディアとしてリライタブルメディア及びライトワンスメディアが装着されたとする。この際、ブラケットモードによる撮影の結果得られた画像データはリライタブルメディアに保存し、高画質モードによる撮影の結果得られた画像データはライトワンスメディアに保存するようにしたものがある（例えば、特許文献２参照）。
【０００８】
さらに、現在画像データの記録に用いている記録メディアに空き容量がなくなると、自動的に他の記録メディアに保存先を切り替えるようにしたものもある。
【先行技術文献】
【特許文献】
【０００９】
【特許文献１】特開２００２−２４７４９３号公報
【特許文献２】特開２００２−３００５１１号公報
【発明の概要】
【発明が解決しようとする課題】
【００１０】
ところで、特許文献２に記載のように、撮影モード等の撮影設定に応じて画像データの保存先を切り替えるようにすれば大変便利である。しかしながら、特許文献２に記載のように、撮影設定に応じて画像データの保存先を自動的に切り替えるようにすると、ユーザの意図に反してライトワンスメディアに画像データが保存されてしまう恐れがある。そして、一旦ライトワンスメディアに記録されてしまうと、当該画像データの書き替え又は消去ができなくなってしまうという問題点がある。
【００１１】
従って、本発明の目的は、ユーザの意図に反して画像データがライトワンスメディアに記録・保存されることを防止することのできる撮像装置、その制御方法、及び制御プログラム、並びに記録媒体を提供することにある。
【課題を解決するための手段】
【００１２】
上記の目的を達成するため、本発明による撮像装置は、複数の外部記録メディアが装着可能で、撮影の結果得られた画像データを選択的に前記外部記録メディアに記録する撮像装置において、前記外部記録メディアのうち前記画像データの保存先として指定された保存先メディアの空き容量を検出する容量検出手段と、前記保存先メディアの空き容量が予め規定された空き容量となった場合に、前記保存先メディアから他の外部記録メディアを切り替え記録メディアとして該切り替え記録メディアに前記画像データの保存先を切り替える切り替え設定が行われていると、前記切り替え記録メディアの特性を判定して特性判定結果を得る判定手段と、前記特性判定結果が前記切り替え記録メディアは書き替えに制限が設けられた書き替え制限記録メディアであることを示している場合に、前記保存先メディアが切り替えに制限のない書き替え非制限記録メディアであると、前記切り替え記録メディアに前記保存先を切り替えるか否かの確認を行うメッセージを告知する確認手段とを有することを特徴とする。
【００１３】
また、本発明による撮像装置は、複数の外部記録メディアが装着可能で、撮影の結果得られた画像データを選択的に前記外部記録メディアに記録する撮像装置において、新たな外部記録メディアの装着を検出するメディア検出手段と、前記新たな外部記録メディアの装着が検出された場合に、前記画像データの保存先として指定された保存先メディアから他の外部記録メディアを切り替え記録メディアとして該切り替え記録メディアに前記画像データの保存先を切り替える切り替え設定が行われていると、前記切り替え記録メディアの特性を判定して特性判定結果を得る判定手段と、前記特性判定結果が前記切り替え記録メディアは書き替えに制限が設けられた書き替え制限記録メディアであることを示している場合に、前記保存先メディアが切り替えに制限のない書き替え非制限記録メディアであると、前記切り替え記録メディアに前記保存先を切り替えるか否かの確認を行うメッセージを告知する確認手段とを有することを特徴とする。
【００１４】
本発明による制御方法は、複数の外部記録メディアが装着可能な撮像装置に用いられ撮影の結果得られた画像データを選択的に前記外部記録メディアに記録するための制御方法において、前記外部記録メディアのうち前記画像データの保存先として指定された保存先メディアの空き容量を検出する容量検出ステップと、前記保存先メディアの空き容量が予め規定された空き容量となった場合に、前記保存先メディアから他の外部記録メディアを切り替え記録メディアとして該切り替え記録メディアに前記画像データの保存先を切り替える切り替え設定が行われていると、前記切り替え記録メディアの特性を判定して特性判定結果を得る判定ステップと、前記特性判定結果が前記切り替え記録メディアは書き替えに制限が設けられた書き替え制限記録メディアであることを示している場合に、前記保存先メディアが切り替えに制限のない書き替え非制限記録メディアであると、前記切り替え記録メディアに前記保存先を切り替えるか否かの確認を行うメッセージを告知する確認ステップとを有することを特徴とする。
【００１５】
また、本発明による制御方法は、複数の外部記録メディアが装着可能な撮像装置に用いられ、撮影の結果得られた画像データを選択的に前記外部記録メディアに記録するための制御方法において、新たな外部記録メディアの装着を検出するメディア検出ステップと、前記新たな外部記録メディアの装着が検出された場合に、前記画像データの保存先として指定された保存先メディアから他の外部記録メディアを切り替え記録メディアとして該切り替え記録メディアに前記画像データの保存先を切り替える切り替え設定が行われていると、前記切り替え記録メディアの特性を判定して特性判定結果を得る判定ステップと、前記特性判定結果が前記切り替え記録メディアは書き替えに制限が設けられた書き替え制限記録メディアであることを示している場合に、前記保存先メディアが切り替えに制限のない書き替え非制限記録メディアであると、前記切り替え記録メディアに前記保存先を切り替えるか否かの確認を行うメッセージを告知する確認ステップとを有することを特徴とする。
【００１６】
本発明による制御プログラムは、複数の外部記録メディアが装着可能な撮像装置に用いられ撮影の結果得られた画像データを選択的に前記外部記録メディアに記録するための制御プログラムにおいて、前記撮像装置に備えられたコンピュータに、前記外部記録メディアのうち前記画像データの保存先として指定された保存先メディアの空き容量を検出する容量検出ステップと、前記保存先メディアの空き容量が予め規定された空き容量となった場合に、前記保存先メディアから他の外部記録メディアを切り替え記録メディアとして該切り替え記録メディアに前記画像データの保存先を切り替える切り替え設定が行われていると、前記切り替え記録メディアの特性を判定して特性判定結果を得る判定ステップと、前記特性判定結果が前記切り替え記録メディアは書き替えに制限が設けられた書き替え制限記録メディアであることを示している場合に、前記保存先メディアが切り替えに制限のない書き替え非制限記録メディアであると、前記切り替え記録メディアに前記保存先を切り替えるか否かの確認を行うメッセージを告知する確認ステップとを実行させることを特徴とする。
【００１７】
また、本発明による制御プログラムは、複数の外部記録メディアが装着可能な撮像装置に用いられ、撮影の結果得られた画像データを選択的に前記外部記録メディアに記録するための制御プログラムにおいて、前記撮像装置に備えられたコンピュータに、新たな外部記録メディアの装着を検出するメディア検出ステップと、前記新たな外部記録メディアの装着が検出された場合に、前記画像データの保存先として指定された保存先メディアから他の外部記録メディアを切り替え記録メディアとして該切り替え記録メディアに前記画像データの保存先を切り替える切り替え設定が行われていると、前記切り替え記録メディアの特性を判定して特性判定結果を得る判定ステップと、前記特性判定結果が前記切り替え記録メディアは書き替えに制限が設けられた書き替え制限記録メディアであることを示している場合に、前記保存先メディアが切り替えに制限のない書き替え非制限記録メディアであると、前記切り替え記録メディアに前記保存先を切り替えるか否かの確認を行うメッセージを告知する確認ステップとを実行させることを特徴とする。
【００１８】
本発明による記録媒体は、上記のいずれかの制御プログラムが記録されたコンピュータに読み取り可能な記録媒体である。
【発明の効果】
【００１９】
以上のように、本発明によれば、複数の記録メディアが装着可能で、保存先メディアがリライタブルメディア等の書き替え非制限記録メディアである際に、切り替え記録メディアがライトワンスメディア等の書き替え制限記録メディアであると、切り替え記録メディアに保存先を切り替えるか否かの確認を行うようにしている。よって、ユーザが意図しないにも拘わらず、画像データが書き替え制限記録メディアに記録されてしまうという事態を防止することができる。
【図面の簡単な説明】
【００２０】
【図１】本発明の実施の形態による撮像装置の一例を示すブロック図である。
【図２】図１に示すデジタルカメラにおいて、画像データを保存する保存先メディアの選択について説明するためのフローチャートである。
【図３】図１に示すデジタルカメラに複数の外部記録メディア１１０が装着されている場合の保存先切り替え制御を説明するためのフローチャートである。
【図４】図１に示すデジタルカメラに外部記録メディアとして、リライタブルメディア及びライトワンスメディアが装着されている際のメディア切り替え制御を説明するためのフローチャートである。
【図５】図１に示す画像表示部に表示される警告表示ボックスの一例を示す図である。
【図６ａ】図１に示すデジタルカメラにおいて、残りの撮影可能枚数が所定の枚数になった場合における保存先メディアの切り替え制御を説明するためのフローチャートである。
【図６ｂ】図１に示すデジタルカメラにおいて、残りの撮影可能枚数が所定の枚数になった場合における保存先メディアの切り替え制御を説明するためのフローチャートである。
【図７ａ】図１に示すデジタルカメラにおいて、ライトワンスメディアが装着された際の制御を説明するためのフローチャートである。
【図７ｂ】図１に示すデジタルカメラにおいて、ライトワンスメディアが装着された際の制御を説明するためのフローチャートである。
【図８】図１に示す画像表示部に表示される警告表示ボックスの他の例を示す図である。
【図９】図１に示す画像表示部に表示される警告表示ボックスのさらに他の例を示す図である。
【発明を実施するための形態】
【００２１】
以下、本発明の実施の形態による撮像装置の一例について、図面を参照して説明する。
【００２２】
図１は本発明の実施の形態による撮像装置の一例を示すブロック図である。図１においては、撮像装置の一つであるデジタルカメラ１００が示されているが、他の撮像装置、例えば、所謂ビデオカメラ等においても、本発明に係る記録制御を適用することができる。
【００２３】
図１を参照して、デジタルカメラ１００は、マイクロコンピュータ（以下、ＣＰＵと呼ぶ）１０１を有しており、このＣＰＵ１０１は、不揮発性のメモリ１０７に格納されたプログラム等に応じて動作する。そして、ＣＰＵ１０１は、撮像素子（例えば、ＣＣＤ）１０２が出力する撮像信号の処理等カメラ全体の動作を制御する。
【００２４】
図示の例では、レンズ（図示せず）を介して撮像素子１０２上に結像した光学像は、撮像素子１０２によってアナログ撮像信号に変換される。そして、このアナログ撮像信号はＡ／Ｄコンバータ１０３によってデジタル撮像信号に変換される。
【００２５】
このデジタル撮像信号は直接ＣＰＵ１０１に与えられることもあるが、一旦画像データとして画像バッファメモリ１０４に蓄積された後、画像処理部１０５で必要な画像処理を受ける。そして、ＣＰＵ１０１は、画像バッファメモリ１０４及び画像処理部１０５から得た画像データに対して必要な処理を行う。
【００２６】
その後、ＣＰＵ１０１は画像データを外部記録メディア制御部１０９によって外部記録メディア１１０に保存する。この外部記録メディア１１０は、例えば、ＳＤ又はＣＦである。
【００２７】
ＣＰＵ１０１は、例えば、外部記録メディア１１０に保存された画像データについて画像表示部１０８にプレビュー表示を行う。通信制御処理部１０６は、ＣＰＵ１０１の制御下で所謂カメラ間通信処理を行うとともに、例えば、ＰＣ（パーソナルコンピュータ）との通信処理も行う。
【００２８】
外部記録メディア制御部１０９は、ＣＰＵ１０１の制御下で、デジタルカメラ１００に装着された外部記録メディア１１０の特性を検出して、メディア特性情報（特性判定結果）を得る。
【００２９】
例えば、外部記録メディア制御部１０９は、外部記録メディア１１０がリライタブルメディア（書き替え非制限記録メディア）であるか又はライトワンスメディア（書き替え制限記録メディア）であるかについて判定する。さらに、外部記録メディア制御部１０９は、外部記録メディア１１０の空き容量を検出してメディア特性情報を得る。そして、外部記録メディア制御部１０９はメディア特性情報をＣＰＵ１０１に送信する。つまり、メディア特性情報には、外部記録メディアの特性及びその空き容量を示す情報が含まれている。
【００３０】
なお、ライトワンスメディアとは、書き換えに制限が設けられた書き換え制限記録メディアをいう。
【００３１】
ＣＰＵ１０１は、複数の外部記録メディア１０９がデジタルカメラ１００に装着されている場合には、メディア特性情報に応じて、後述するように、保存先の外部記録メディア１０９の切り替え制御（選択制御）を行う。さらに、ＣＰＵ１０１は、撮影モード及び画質モード等の撮影設定について制御を行う。
【００３２】
ＣＰＵ１０１はユーザインタフェース１１１からのユーザ入力に応じて画像表示部１０９にメニュー構成等を表示する。さらに、ＣＰＵ１０１はユーザインタフェース１１１に備えられたボタン操作等に応じた処理を実行する。つまり、デジタルカメラ１００の機能設定等は全てユーザインタフェース１１１によって行われることになる。
【００３３】
図２は、図１に示すデジタルカメラ１００において、画像データを保存する保存先メディアの選択について説明するためのフローチャートである。なお、ここでは、デジタルカメラ１００には複数の外部記録メディア１１０が装着可能である。
【００３４】
図１及び図２を参照して、例えば、電源がオンされると、外部メディア制御部１０９は、現在デジタルカメラ１００に装着されている外部記録メディア１０９の数を検出する（ステップＳ２０１）。そして、外部記録メディア制御部１０９は、外部記録メディア１１０の数が２未満であるか否かについて判定する（ステップＳ２０２）。
【００３５】
外部記録メディア１１０の数が２未満であると、つまり、外部記録メディア１１０の数が１つであると（ステップＳ２０２において、ＹＥＳ）、外部記録メディア制御部１０９は当該外部記録メディア１１０を画像データの保存先メディアとして選択する（ステップＳ２０３）。そして、外部記録メディア制御部１０９は処理を終了する。
【００３６】
一方、外部記録メディア１１０の数が２つ以上であると（ステップＳ２０２において、ＮＯ）、外部記録メディア制御部１０９は現在の記録設定を検出・確認する（ステップＳ２０４）。ここで、記録設定とは、複数の外部記録メディア１１０がデジタルカメラ１００に装着されている際、画像データを複数の外部記録メディア１１０に同時に書き込むか否かを示す設定のことをいう。
【００３７】
そして、外部記録メディア制御部１０９は、記録設定が複数の外部記録メディア１１０に同時に画像データを記録する設定であるか否かを判定する（ステップＳ２０５）。記録設定が複数の外部記録メディア１１０に同時に画像データを書き込む設定であると（ステップＳ２０５において、ＹＥＳ）、外部記録メディア制御部１０９は全ての外部記録メディア１１０を保存先メディアとして指定する（ステップＳ２０６）。
【００３８】
一方、記録設定が複数の外部記録メディア１１０に同時に画像データを書き込む設定でないと（ステップＳ２０５において、ＮＯ）、外部記録メディア制御部１０９はデジタルカメラに設定されている保存先スロットを確認（ステップＳ２０７）する。そして、外部記録メディア制御部１０９は当該保存先スロットに装着された外部記録メディアメディア１０９を保存先メディアとして決定して（ステップＳ２０８）、処理を終了する。
【００３９】
図３は、図１に示すデジタルカメラ１００に複数の外部記録メディア１１０が装着されている場合の保存先切り替え制御を説明するためのフローチャートである。
【００４０】
図１及び図３を参照して、いま、図２で説明したようにして、保存先メディアが指定又は決定されたとする。続いて、外部記録メディア制御部１０９は保存先メディアの空き容量を確認する（ステップＳ３０１）。そして、外部記録メディア制御部１０９は当該保存先メディアに空き容量があるか否かについて判定する（ステップＳ３０２）。
【００４１】
保存先メディア１１０に空き容量があると（ステップＳ３０２において、ＹＥＳ）、外部記録メディア制御部１０９はその旨をＣＰＵ１０１に通知する。これによって、ＣＰＵ１０１は撮影を許可する。撮影が行われると（ステップＳ３０３）、ＣＰＵ１０１は前述したようにして、外部記録メディア制御部１０９を介して、撮影の結果得られた画像データを保存先メディアに記録・保存する（ステップＳ３０４）。そして、外部記録メディア１０９はステップＳ３０１に戻って、処理を続行する。
【００４２】
一方、ステップＳ３０２において、保存先として指定された保存先メディア１１０に空き容量がないと（ステップＳ３０２において、ＮＯ）、外部記録メディア制御部１０９は、外部記録メディア１１０の切り替えに関するメディア切り替え設定を確認する（ステップＳ３０５）。ここで、メディア切り替え設定とは、自動的に外部記録メディア１１０の切り替えを行うか否かの設定をいう。
【００４３】
続いて、外部記録メディア制御部１０９はメディア切り替え設定として予め自動的に保存先メディアの切り替えを行う設定がされているか否かについて判定する（ステップＳ３０６）。
【００４４】
メディア切り替え設定として予め自動的に保存先メディアの切り替えを行う設定がなされていると（ステップＳ３０６において、ＹＥＳ）、外部記録メディア制御部１０９は、例えば、空き容量のある外部記録メディア１１０を自動的に保存先メディアとする。これによって、外部記録メディア制御部１０９は撮影の結果得られた画像データを当該保存先メディアに保存することになる。そして、外部記録メディア制御部１０９はステップＳ３０１に戻って、処理を続行する。
【００４５】
一方、メディア切り替え設定として予め自動的に保存先メディアの切り替えを行う設定がなされていないと（ステップＳ３０６において、ＮＯ）、外部記録メディア制御部１０９は、その旨ＣＰＵ１０１に通知する。そして、ユーザがユーザインタフェース１１１を用いて保存先メディアの切り替えを行うまで、ＣＰＵ１０１は撮影を停止する。つまり、撮影ができない状態となる。
【００４６】
いま、複数の外部記録メディア１１０として、リライタブルメディア及びライトワンスメディアがデジタルカメラ１００に装着されているとする。ここでは、リライタブルメディアからライトワンスメディアに保存先メディアを切り替える際の制御について説明する。なお、メディア切り替え設定として、現在の保存先メディア１１０に空き容量がなくなった際、自動で保存先メディアを切り替える設定がなされているものとする。
【００４７】
このような状態において、現在の保存先メディア１１０がリライタブルメディアであると、リライタブルメディアの空き容量がなくなった場合には、保存先メディア１１０は自動的にライトワンスメディアに保存先が切り替わることになる。よって、ユーザが気づくことなく画像データがライトワンスメディアに保存されてしまうことになる。
【００４８】
図４は、図１に示すデジタルカメラ１００に外部記録メディア１１０として、リライタブルメディア及びライトワンスメディアが装着されている際のメディア切り替え制御を説明するためのフローチャートである。
【００４９】
図１及び図４を参照して、図示の例では、リライタブルメディア及びライトワンスメディアが選択的に用いられる。いま、リライタブルメディアが画像データの保存先メディアとして用いられているとする。
【００５０】
外部記録メディア制御部１０９は、現在の保存先メディアであるリライタブルメディアの空き容量を確認している（ステップＳ４０１）。そして、外部記録メディア制御部１０９はリライタブルメディアに空き容量があるか否かについて判定する（ステップＳ４０２）。
【００５１】
リライタブルメディアに空き容量があると（ステップＳ４０２において、ＹＥＳ）、外部記録メディア制御部１０９はその旨をＣＰＵ１０１に通知する。これによって、ＣＰＵ１０１は撮影を許可する。撮影が行われると（ステップＳ４０３）、ＣＰＵ１０１は前述したようにして、外部記録メディア制御部１０９を介して、撮影の結果得られた画像データをリライタブルメディアに記録・保存する（ステップＳ４０４）。そして、外部記録メディア１０９はステップＳ４０１に戻って、処理を続行する。
【００５２】
撮影が繰り返し行われると、リライタブルメディアの空き容量は徐々に減少し、ついにはリライタブルメディアの空き容量がなくなる。
【００５３】
ステップＳ４０２において、保存先として指定されているリライタブルメディアに空き容量がなくなると（ステップＳ４０２において、ＮＯ）、外部記録メディア制御部１０９はメディア切り替え設定を確認する（ステップＳ４０５）。ここでは、リライタブルメディアの空き容量がない状態が予め規定された空き容量となる。
【００５４】
そして、外部記録メディア制御部１０９は、メディア切り替え設定として予め自動的に保存先メディアの切り替えを行う設定がされているか否かについて判定する（ステップＳ４０６）。
【００５５】
メディア切り替え設定として予め自動的に保存先メディアの切り替えを行う設定がなされていると（ステップＳ４０６において、ＹＥＳ）、外部記録メディア制御部１０９は、保存先となる外部記録メディア１１０の特性を確認する（ステップＳ４０７）。そして、外部記録メディア制御部１０９は当該外部記録メディア１１０がライトワンスメディアであるか否かについて判定する（ステップＳ４０８）。
【００５６】
次に保存先となべきる外部記録メディア１１０がライトワンスメディアでないと（ステップＳ４０８において、ＮＯ）、外部記録メディア制御部１０９は、保存先メディアを当該外部記録メディア１１０に切り替えて（ステップＳ４０９）、ステップＳ４０１に戻る。
【００５７】
一方、次に保存先となるべき外部記録メディア１１０がライトワンスメディアであると（ステップＳ４０８において、ＹＥＳ）、外部記録メディア制御部１０９は、現在保存先となっている外部記録メディア１０９がライトワンスメディアであるか否かについて判定する（ステップＳ４１０）。
【００５８】
現在保存先となっている外部記録メディア１０９がライトワンスメディアであると（ステップＳ４１０において、ＹＥＳ）、外部記録メディア制御部１０９はステップＳ４０９に移行して、保存先メディアをライトワンスメディアに切り替える。
【００５９】
現在保存先となっている外部記録メディア１０９がライトワンスメディアでないと（ステップＳ４１０において、ＮＯ）、外部記録メディア制御部１０９はその旨ＣＰＵ１０１に通知する。これによって、ＣＰＵ１０１は、ライトワンスメディアを保存先メディアとするか否かの確認を行うため、例えば、画像表示部１０８に確認画面（警告メッセージボックスともいう）を表示して告知する（ステップＳ４１１）。
【００６０】
図５は、図１に示す画像表示部１０８に表示される警告表示ボックス５０１の一例を示す図である。
【００６１】
図５に示すように、警告メッセージボックス５０１には、次に保存先となる保存先メディアがライトワンスメディアである旨の確認文が表示されるとともに、「はい」を示すボタン５０２及び「いいえ」を示すボタン５０３が表示される。このようにして、ＣＰＵ１０１は画像表示部１０８に警告メッセージボックス５０１を表示した後、保存先メディアをライトワンスメディアとしてもよいか否かについて判定する（ステップＳ４１２）。
【００６２】
いま、ユーザがユーザインタフェース１１１によってボタン５０２、つまり、「はい」を選択すると（ステップＳ４１２において、ＹＥＳ）、ＣＰＵ１０１はライトワンスメディアを保存先メディアとする旨の通知を外部記録メディア制御部１０９に発行する。これによって、外部記録メディア制御部１０９は、ステップＳ４０９に移行して、保存先メディアをライトワンスメディアに切り替える。
【００６３】
一方、ユーザがユーザインタフェース１１１によってボタン５０３、つまり、「いいえ」を選択すると（ステップＳ４１２において、ＮＯ）、ＣＰＵ１０１は、ユーザがユーザインタフェース１１１を用いて保存先メディアの切り替えを行うまで、撮影を停止する。つまり、撮影ができない状態となる。
【００６４】
このようにして、図５で説明した保存先メディアの切り替え制御では、現在の保存先メディアについて空き容量がなくなると、次に保存先となるべき保存先メディアの特性を取得して、保存先メディアの切り替えを行うか否かについて判断している。
【００６５】
図６ａ及び図６ｂは、図１に示すデジタルカメラ１００において、残りの撮影可能枚数が所定の枚数になった場合における保存先メディアの切り替え制御を説明するためのフローチャートである。ここでは、ユーザは予めユーザインタフェースを用いて、保存先メディアを変更する旨の保存先メッセージを表示するタイミングとして用いられる残撮影可能枚数が枚数設定値としてデジタルカメラ１００に設定されているものとする。
【００６６】
なお、この枚数設定値は、出荷時等に予めデジタルカメラ１００に設定しておくようにしてもよい。また、ここでは、上記の枚数設定値が予め規定された空き容量に対応する。
【００６７】
図１、図６ａ、及び図６ｂを参照して、例えば、電源が投入されると、外部記録メディア制御部１０９は上記の枚数設定値（保存先変更メッセージ表示枚数ともいう）を確認する（ステップＳ６０１）。そして、外部記録メディア制御部１０９は保存先切り替えフラグをリセットする（ステップＳ６０２）。
【００６８】
保存先切り替えフラグのリセットに続いて、外部記録メディア制御部１０９は現在使用中の外部記録メディア１１０の空き容量を確認する（ステップＳ６０３）。そして、外部記録メディア制御部１０９はこの空き容量をＣＰＵ１０１に通知する。ＣＰＵ１０１は、空き容量に応じて残撮影可能枚数を算出して、この残撮影可能枚数と枚数設定値とを比較する（ステップＳ６０４）。
【００６９】
枚数設定値と残撮影可能枚数とが一致すると（ステップＳ６０４において、ＹＥＳ）、ＣＰＵ１０１は一致した旨を外部記録メディア制御部１０９に通知する。そして、外部記録メディア制御部１０９はメディア切り替え設定の確認を行う（ステップＳ６０５）。
【００７０】
外部記録メディア制御部１０９は、メディア切り替え設定として予め自動的に保存先メディアの切り替えを行う設定がされているか否かについて判定する（ステップＳ６０６）。
【００７１】
メディア切り替え設定として予め自動的に保存先メディアの切り替えを行う設定がなされていると（ステップＳ６０６において、ＹＥＳ）、外部記録メディア制御部１０９は、保存先となる外部記録メディア１１０の特性を確認する（ステップＳ６０７）。そして、外部記録メディア制御部１０９は当該外部記録メディア１１０がライトワンスメディアであるか否かについて判定する（ステップＳ６０８）。
【００７２】
次に保存先となべきる外部記録メディア１１０がライトワンスメディアでないと（ステップＳ６０８において、ＮＯ）、外部記録メディア制御部１０９は、保存先切り替えフラグをオンする（ステップＳ６０９）。
【００７３】
続いて、外部記録メディア制御部１０９は、保存先メディアに空き容量があるか否かについて判定する（ステップＳ６１０）。保存先メディアに空き容量があると（ステップＳ６１０において、ＹＥＳ）、外部記録メディア制御部１０９はその旨をＣＰＵ１０１に通知する。
【００７４】
これによって、ＣＰＵ１０１は撮影を許可する。撮影が行われると（ステップＳ６１１）、ＣＰＵ１０１は前述したようにして、外部記録メディア制御部１０９を介して、撮影の結果得られた画像データを保存先メディアに記録・保存する（ステップＳ６１２）。そして、外部記録メディア１０９はステップＳ６０３に戻って、処理を続行する。
【００７５】
ステップＳ６１０において、保存先メディアに空き容量がなくなると（ステップＳ６１０において、ＮＯ）、外部記録メディア制御部１０９は保存先切り替えフラグがオンであるか否かを判定する（ステップＳ６１３）。
【００７６】
保存切り替えフラグがオンであれば（ステップＳ６１３において、ＹＥＳ）、外部記録メディア制御部１０９は、メディア切り替え設定に応じて保存先メディアを切り替えて（ステップＳ６１４）、ステップＳ６０２に戻る。
【００７７】
一方、保存切り替えフラグがオフであれば（ステップＳ６１３において、ＮＯ）、外部記録メディア制御部１０９は保存切り替えフラグがオフである旨の通知をＣＰＵ１０１に行って、処理を終了する。これによって、ＣＰＵ１０１は、ユーザがユーザインタフェース１１１を用いて保存先メディアの切り替えを行うまで、撮影を停止する。つまり、撮影ができない状態となる。
【００７８】
ステップＳ６０８において、次に保存先となべきる外部記録メディア１１０がライトワンスメディアであると（ステップＳ６０８において、ＹＥＳ）、外部記録メディア制御部１０９は、現在の保存先メディアがライトワンスメディアであるか否かについて判定する（ステップＳ６１５）。
【００７９】
現在の保存先メディアがライトワンスメディアであると（ステップＳ６１５において、ＹＥＳ）、外部記録メディア制御部１０９はステップＳ６０９に移行して、保存先切り替えフラグをオンする。
【００８０】
一方、現在の保存先メディアがライトワンスメディアでないと（ステップＳ６１５において、ＮＯ）、外部記録メディア制御部１０９は、その旨ＣＰＵ１０１に通知する。この通知によって、ＣＰＵ１０１は保存先メディアをライトワンスメディアに切り替えることをユーザに確認する（ステップＳ６１６）。このユーザへの通知は、図５で説明した警告メッセージボックス５０１を画像表示部１０８に表示することによって行われる。
【００８１】
図４及び図５に関連して説明したように、ＣＰＵ１０１は画像表示部１０８に警告メッセージボックス５０１を表示した後、保存先メディアをライトワンスメディアとしてもよいか否かについて判定する（ステップＳ６１７）。
【００８２】
いま、ユーザが「はい」を選択すると（ステップＳ６１７において、ＹＥＳ）、ＣＰＵ１０１はライトワンスメディアを保存先メディアとする旨の通知を外部記録メディア制御部１０９に発行する。これによって、外部記録メディア制御部１０９は、保存先切り替えフラグをオンする（ステップＳ６１８）。そして、外部記録メディア制御部１０９は、ステップＳ６１０に移行する。
【００８３】
一方、ユーザが「いいえ」を選択すると（ステップＳ６１７において、ＮＯ）、ＣＰＵ１０１は、ライトワンスメディアを保存先メディアとしない旨の通知を外部記録メディア制御部１０９に発行する。これによって、外部記録メディア制御部１０９は、直ちにステップＳ６１０に移行する。
【００８４】
なお、ステップＳ６０６において、メディア切り替え設定として予め自動的に保存先メディアの切り替えを行う設定がなされていないと（ステップＳ６０６において、ＮＯ））、外部記録メディア制御部１０９はステップＳ６１０に移行する。また、ステップＳ６０４において、枚数設定値と残撮影可能枚数とが一致しないと（ステップＳ６０４において、ＮＯ）、ＣＰＵ１０１は不一致の旨を外部記録メディア制御部１０９に通知する。当該通知を受けると、外部記録メディア制御部１０９はステップＳ６１０に移行する。
【００８５】
このようにして、保存先メディアをライトワンスメディアに切り替える際、ユーザに対して警告を表示するようにしている。そして、ユーザが保存先メディアとしてライトワンスメディアを選択した場合に、ライトワンスメディアを保存メディアと指定する。従って、ユーザが撮影を繰り返し行っている場合等において、ユーザの意図に反してライトワンスメディアに画像データが保存されるという事態を防止することができる。
【００８６】
続いて、メディア切り替え設定として予め自動的に保存先メディアの切り替えを行う設定がなされている場合に、デジタルカメラ１００にライトワンスメディアが装着された際の制御について説明する。
【００８７】
図７ａ及び図７ｂは、図１に示すデジタルカメラ１００において、ライトワンスメディアが装着された際の制御を説明するためのフローチャートである。
【００８８】
図１、図７ａ、及び図７ｂを参照して、例えば、電源が投入されると、外部記録メディア制御部１０９は保存先切り替えフラグをリセットする（ステップＳ７０１）。保存先切り替えフラグのリセットに続いて、外部記録メディア制御部１０９は、新たな外部記録メディア１１０がデジタルカメラ１００に装着されたか否かについて判定する（ステップＳ７０２）。
【００８９】
新たな外部記録メディア１１０がデジタルカメラ１００に装着されると（ステップＳ７０２において、ＹＥＳ）、外部記録メディア制御部１０９は、メディア切り替え設定の確認を行う（ステップＳ７０３）。そして、外部記録メディア制御部１０９は、メディア切り替え設定として予め自動的に保存先メディアの切り替えを行う設定がされているか否かを判定する（ステップ７０４）。
【００９０】
メディア切り替え設定として予め自動的に保存先メディアの切り替えを行う設定がなされていると（ステップＳ７０４において、ＹＥＳ）、外部記録メディア制御部１０９は、保存先（切り替え先）となる外部記録メディア１１０の特性を確認する（ステップＳ７０５）。そして、外部記録メディア制御部１０９は保存先となる外部記録メディア１１０がライトワンスメディアであるか否かについて判定する（ステップＳ７０６）。
【００９１】
次に保存先となべきる外部記録メディア１１０がライトワンスメディアでないと（ステップＳ７０６において、ＮＯ）、外部記録メディア制御部１０９は、保存先切り替えフラグをオンする（ステップＳ７０７）。
【００９２】
続いて、外部記録メディア制御部１０９は、保存先メディアの空き容量を確認する（ステップＳ７０８）。そして、外部記録メディア制御部１０９は保存先メディアに空き容量があるか否かについて判定する（ステップＳ７０９）。保存先メディアに空き容量があると（ステップＳ７０９において、ＹＥＳ）、外部記録メディア制御部１０９はその旨をＣＰＵ１０１に通知する。
【００９３】
これによって、ＣＰＵ１０１は撮影を許可する。撮影が行われると（ステップＳ７１０）、ＣＰＵ１０１は前述したようにして、外部記録メディア制御部１０９を介して、撮影の結果得られた画像データを保存先メディアに記録・保存する（ステップＳ７１１）。そして、外部記録メディア１０９はステップＳ７０２に戻って、処理を続行する。
【００９４】
ステップＳ７０９において、保存先メディアに空き容量がなくなると（ステップＳ７０９において、ＮＯ）、外部記録メディア制御部１０９は保存先切り替えフラグがオンであるか否かを判定する（ステップ７１２）。
【００９５】
保存切り替えフラグがオンであれば（ステップＳ７１２において、ＹＥＳ）、外部記録メディア制御部１０９は、メディア切り替え設定に応じて保存先メディアを切り替えて（ステップＳ７１３）、ステップＳ７０１に戻る。
【００９６】
一方、保存切り替えフラグがオフであれば（ステップＳ７１２において、ＮＯ）、外部記録メディア制御部１０９は保存切り替えフラグがオフである旨の通知をＣＰＵ１０１に行って、処理を終了する。これによって、ＣＰＵ１０１は、ユーザがユーザインタフェース１１１を用いて保存先メディアの切り替えを行うまで、撮影を停止する。つまり、撮影ができない状態となる。
【００９７】
ステップＳ７０６において、次に保存先となべきる外部記録メディア１１０がライトワンスメディアであると（ステップＳ７０６において、ＹＥＳ）、外部記録メディア制御部１０９は、現在の保存先メディアがライトワンスメディアであるか否かについて判定する（ステップＳ７１４）。
【００９８】
現在の保存先メディアがライトワンスメディアであると（ステップＳ７１４において、ＹＥＳ）、外部記録メディア制御部１０９はステップＳ７０７に移行して、保存先切り替えフラグをオンする。
【００９９】
一方、現在の保存先メディアがライトワンスメディアでないと（ステップＳ７１４において、ＮＯ）、外部記録メディア制御部１０９は、その旨ＣＰＵ１０１に通知する。この通知によって、ＣＰＵ１０１は保存先メディアをライトワンスメディアに切り替えることをユーザに確認する（ステップＳ７１５）。この確認に当たって、ＣＰＵ１０１は、例えば、画像表示部１０８に確認画面（警告メッセージボックス）を表示する。
【０１００】
図８は、図１に示す画像表示部１０８に表示される警告表示ボックス８０１の他の例を示す図である。
【０１０１】
図５に示すように、警告メッセージボックス８０１には、現在の外部記録メディアに空き容量がなくなった際、装着されたライトワンスメディアに保存先メディアが切り替わる旨の確認文が表示される。さらに、警告メッセージボックス８０１には、「はい」を示すボタン８０２及び「いいえ」を示すボタン８０３が表示される。
【０１０２】
このようにして、ＣＰＵ１０１は画像表示部１０８に警告メッセージボックス５０１を表示した後、保存先メディアをライトワンスメディアとしてもよいか否かについて判定する（ステップＳ７１６）。
【０１０３】
いま、ユーザがユーザインタフェース１１１によって「はい」を選択すると（ステップＳ７１６において、ＹＥＳ）、ＣＰＵ１０１はライトワンスメディアを保存先メディアとする旨の通知を外部記録メディア制御部１０９に発行する。これによって、外部記録メディア制御部１０９は、ステップＳ７０７に移行して、保存切り替えフラグをオンする。
【０１０４】
一方、ユーザがユーザインタフェース１１１によって「いいえ」を選択すると（ステップＳ７１６において、ＮＯ）、ＣＰＵ１０１は、ライトワンスメディアを保存先メディアとしない旨の通知を外部記録メディア制御部１０９に発行する。これによって、外部記録メディア制御部１０９は、ステップＳ７０８に移行して、保存先メディアの空き容量を確認する。
【０１０５】
なお、ステップＳ７０４において、メディア切り替え設定として予め自動的に保存先メディアの切り替えを行う設定がなされていないと（ステップＳ７０４において、ＮＯ）、外部記録メディア制御部１０９はステップＳ７０８に移行する。また、ステップＳ７０２において、新たな外部記録メディア１１０がデジタルカメラ１００に装着されていないと（ステップＳ７０４において、ＮＯ）、外部記録メディア制御部１０９はステップＳ７０８に移行する。
【０１０６】
この例では、新たな外部記録メディア１１０がデジタルカメラ１００に装着された際、当該外部記録メディアがライトワンスメディアであると、ユーザに警告を表示するようにしている。そして、ユーザが保存先メディアとしてライトワンスメディアを選択した場合に、ライトワンスメディアを保存メディアと指定する。よって、ユーザの意図に反してライトワンスメディアに画像データが保存されるという事態を防止することができるばかりでなく、外部記録メディア１１０の装着の際に確認を行うことによって、撮影の妨げになることがない。
【０１０７】
ところで、図５及び図８に示す警告表示ボックス５０１及び８０１は、切り替え先メディアがライトワンスメディアであると、その都度画像表示部１０８に表示されることになる。このような警告表示が頻繁に行われると、ユーザに対して煩わしさを与える恐れがある。よって、警告表示ボックス５０１及び８０１の表示をユーザ設定によって変更するようにしてもよい。
【０１０８】
図９は、図１に示す画像表示部１０８に表示される警告表示ボックス９０１のさらに他の例を示す図である。
【０１０９】
ここでは、図８に示す警告表示ボックス５０１の代わりに、ＣＰＵ１０１は画像表示部１０８に、図９に示す警告表示ボックス９０１を表示する。図示の警告表示ボックス９０１では、警告文（確認文）、「はい」ボタン９０２、及び「いいえ」ボタン９０３に加えて、チェックボックス９０４が備えられている。そして、ユーザがユーザインタフェース１１１によってチェックボックス９０４にチェックをいれると、以後ＣＰＵ１０１は、「はい」ボタン９０２が選択されても、警告表示ボックス９０１を画像表示部１０８に表示しない。
【０１１０】
なお、上述の説明から明らかなように、上記の実施の形態においては、外部記録メディア制御部１０９が容量検出手段、メディア検出手段、判定手段、切り替え手段として機能し、ＣＰＵ１０１が確認手段として機能することになる。
【０１１１】
以上、本発明について実施の形態に基づいて説明したが、本発明は、これらの実施の形態に限定されるものではなく、この発明の要旨を逸脱しない範囲の様々な形態も本発明に含まれる。
【０１１２】
例えば、上記の実施の形態の機能を制御方法として、この制御方法を、ＣＰＵ１０１及び外部記録メディア制御部１０９に実行させるようにしてもよい。さらに、上述の実施の形態の機能を有するプログラムを制御プログラムとして、この制御プログラムを、画像形成装置が備えるコンピュータに実行させるようにしてもよい。この際、制御方法及び制御プログラムは、少なくとも容量検出ステップ又はメディア検出ステップ、判定ステップ、及び確認ステップを有することになる。
【０１１３】
また、上述した実施形態の機能を実現するソフトウェア（プログラム）を、ネットワーク又は各種のコンピュータに読み取り可能な記録媒体を介してシステム或いは装置に供給するようにしてもよい。そして、そのシステム或いは装置のコンピュータ（またはＣＰＵやＭＰＵ等）がプログラムを読み出して実行する処理ようにしてもよい。
【符号の説明】
【０１１４】
１００  デジタルカメラ
１０１  マイクロコンピュータ（ＣＰＵ）
１０２  撮像素子
１０４  画像バッファメモリ
１０５  画像処理部
１０８  画像表示部
１０９  外部記録メディア制御部
１１０  外部記録メディア
１１１  ユーザインタフェース
【図１】
2014197796.tif 000003
【図２】
2014197796.tif 000004
【図３】
2014197796.tif 000005
【図４】
2014197796.tif 000006
【図５】
2014197796.tif 000007
【図６ａ】
2014197796.tif 000008
【図６ｂ】
2014197796.tif 000009
【図７ａ】
2014197796.tif 000010
【図７ｂ】
2014197796.tif 000011
【図８】
2014197796.tif 000012
【図９】
2014197796.tif 000013